(57)【要約】      （修正有）【課題】ブラッシング洗浄可能な内視鏡管路洗浄装置及び方法を得る。【解決手段】可撓軸２１の一端側にブラシ部２２を備えた可撓ブラシ線条体２０；可撓ブラシ線条体２０を可撓軸２１の他端側から巻き取る巻取ドラム３５０、巻取ドラム３５０を回転駆動する電動巻取器３０を備え、巻取ドラム３５０が、メインドラム３５１と、ドラムカバー３５２とを備える管路洗浄装置を用いて内視鏡管路を洗浄する。手動により、可撓ブラシ線条体２０を一端部側から内視鏡管路に挿通して管路からブラシ部２２をすべて突出させる。次に電動巻取器３０をオンする。電動巻取器３０によって可撓ブラシ線条体２０がブラシ挿入方向とは逆方向に引き抜かれる。管路内を通過するブラシ部２２により該内視鏡管路がブラッシング洗浄される。巻取完了後に巻取ドラム３５０をメインドラム３５１とドラムカバー３５２とに分離させ可撓ブラシ線条体２０を巻取ドラム３５０から取り外す。【選択図】  図５
2004254807.tif 000002
【特許請求の範囲】
【請求項１】
可撓軸の一端側にブラシ部を備えた可撓ブラシ線条体；及びこの可撓ブラシ線条体をその可撓軸の他端部側から巻き取る巻取ドラムと、この巻取ドラムを回転駆動する電動巻取機構とを有する電動巻取器；を備えた内視鏡の管路洗浄装置であって、
前記巻取ドラムは、
一端フランジ部及び巻取胴部を有するメインドラムと、
前記一端フランジ部と対をなす他端フランジ部を有し、前記メインドラムの巻取胴部に接離可能なドラムカバーと、
を備えていることを特徴とする内視鏡の管路洗浄装置。
【請求項２】
請求項１記載の内視鏡の管路洗浄装置において、前記ドラムカバーは、前記メインドラムの巻取胴部に接合されているとき、前記メインドラムと一体に回動可能に支持される内視鏡の管路洗浄装置。
【請求項３】
請求項１または２記載の内視鏡の管路洗浄装置において、前記電動巻取器は、前記電動巻取機構を収納する固定ケースと、この固定ケースに対して開閉自在な開閉ケースとを備えていて、
前記メインドラム及び前記ドラムカバーは、一方が前記固定ケースに軸支され、他方が前記開閉ケースに軸支されている内視鏡の管路洗浄装置。
【請求項４】
請求項１ないし３のいずれか一項に記載の内視鏡の管路洗浄装置において、前記メインドラムの巻取胴部と前記ドラムカバーは、互いに対向する面に、それぞれを接離可能に保持するジョイント部を有し、このジョイント部が対をなす凹凸部を放射線状に配置して形成されている内視鏡の管路洗浄装置。
【請求項５】
請求項１ないし４のいずれか一項に記載の内視鏡の管路洗浄装置において、前記可撓ブラシ線条体は、前記メインドラムによって保持される内視鏡の管路洗浄装置。
【請求項６】
請求項１ないし５のいずれか一項に記載の内視鏡の管路洗浄装置において、前記ブラシ部は、前記可撓軸の軸線方向に間隔をあけて複数設けられている内視鏡の管路洗浄装置。
【請求項７】
可撓軸の一端側に少なくとも１以上のブラシ部を備えた可撓ブラシ線条体；及び可撓ブラシ線条体をその可撓軸の他端部側から巻き取る巻取ドラムと、この巻取ドラムを回転駆動する電動巻取機構とを有する電動巻取器；を備え、さらに前記巻取ドラムが、一端フランジ部及び巻取胴部を有するメインドラムと、前記一端フランジ部と対をなす他端フランジ部を有し、前記メインドラムの巻取胴部に接離可能なドラムカバーとを備える内視鏡の管路洗浄装置を用いた管路洗浄方法であって、
前記可撓ブラシ線条体を、該可撓軸の一端側から内視鏡管路の一端部に挿入し、該内視鏡管路の他端部から外方へ突出させるステップ；
前記電動巻取器を動作させて、前記可撓ブラシ線条体を該可撓軸の他端部側から前記巻取ドラムの巻取胴部に巻き取るステップ；
前記可撓ブラシ線条体の巻取完了後、前記メインドラムと前記ドラムカバーを分離するステップ；及び
このドラムカバーを分離させた状態で、前記メインドラムから前記可撓ブラシ線条体を取り外すステップ；
を含むことを特徴とする内視鏡の管路洗浄方法。
【発明の詳細な説明】
【０００１】
【発明の技術分野】
本発明は、可撓ブラシ線条体を用いる内視鏡の管路洗浄装置及び管路洗浄方法に関する。
【０００２】
【従来技術およびその問題点】
内視鏡内部には、処置具挿通チャンネルや吸引管路等の管路が設けられている。各種管路は、被検者の体液や薬液等により汚染されるため、内視鏡使用後にブラッシング洗浄を行ない、清潔に保つ必要がある。従来のブラッシング洗浄では、洗浄ブラシを管路の一端部から他端部に挿通させた後、挿入方向に対して逆方向に手で引き抜く作業を何度も繰り返すことで、管路内壁を何回も洗浄ブラシで擦って汚物を除去している。また最近では、洗浄ブラシの挿通回数を減らすため、従来の洗浄ブラシに替えて、図７に示すような可撓ブラシ線条体２００を用いることが提案されている。この可撓ブラシ線条体２００は、可撓軸２１０と、該可撓軸２１０の一端側に間隔をあけて設けた複数のブラシ部２２０とを備えている（特許文献参照）。
【０００３】
しかしながら、可撓ブラシ線条体２００は管路全長よりも長くなければならず、一般的にその長さ寸法は１ｍ以上となっていることから、手動では可撓ブラシ線条体２００を引き抜きづらく、ブラッシング洗浄に時間及び手間が掛かっていた。
【０００４】
【特許文献】
特開２００２−５６３号公報
【０００５】
【発明の目的】
本発明は、管路内を容易かつ確実にブラッシング洗浄可能な内視鏡の管路洗浄装置及び管路洗浄方法を得ることを目的とする。
【０００６】
【発明の概要】
本発明は、可撓ブラシ線条体を引き抜く際に電動力を利用すれば操作者の手間を減らせることに着目してなされたもので、特に、使用済みの可撓ブラシ線条体を容易に処理（破棄）できるように利便性を求めたものである。
【０００７】
すなわち、本発明は、可撓軸の一端側にブラシ部を備えた可撓ブラシ線条体；及びこの可撓ブラシ線条体をその可撓軸の他端部側から巻き取る巻取ドラムと、この巻取ドラムを回転駆動する電動巻取機構とを有する電動巻取器；を備えた内視鏡の管路洗浄装置であって、上記巻取ドラムは、一端フランジ部及び巻取胴部を有するメインドラムと、一端フランジ部と対をなす他端フランジ部を有し、メインドラムの巻取胴部に接離可能なドラムカバーとを備えていることを特徴としている。
【０００８】
上記構成によれば、ドラムカバーをメインドラムの巻取胴部から離すと、巻取ドラムがメインドラムとドラムカバーとに分離されるので、巻取ドラムを回転させることなく、可撓ブラシ線条体を取り外すことができる。つまり、使用済みの可撓ブラシ線条体を電動巻取器から容易に回収することができる。また、電動巻取器によって可撓ブラシ線条体が巻き取られるので、ブラシ引抜作業にかかる手間及び時間が大幅に削減され、内視鏡管路内を容易かつ確実にブラッシング洗浄することができる。
【０００９】
ドラムカバーは、メインドラムの巻取胴部に接合されたとき、メインドラムと一体に回動するように設ける。具体的には、電動巻取器に、電動巻取機構を収納する固定ケースと、この固定ケースに対して開閉自在な開閉ケースとを備える。そして、メインドラム及びドラムカバーの一方を固定ケースに軸支し、他方を開閉ケースに軸支する。この構成によれば、開閉ケースの開閉動作に伴って、メインドラムの巻取胴部とドラムカバーとが接離可能である。すなわち、開閉ケースを閉じれば、メインドラムの巻取胴部とドラムカバーが接合し、一体の巻取ドラムになる。逆に、開閉ケースを開ければ、メインドラムの巻取胴部とドラムカバーの接合がはずれ、巻取ドラムがメインドラムとドラムカバーとに分離される。よって、使用者の手で直接的にメインドラムとドラムカバーを接合したり分離させたりする必要がなく、手間が省けると共に衛生的である。
【００１０】
上記メインドラムの巻取胴部とドラムカバーには、互いに対向する面に、それぞれを接合させるジョイント部を設ける。このジョイント部は、例えば、対をなす凹凸部を放射線状に配置して形成することができる。また、可撓ブラシ線条体は、メインドラムによって保持されることが実際的である。
【００１１】
可撓ブラシ線条体のブラシ部は、前記可撓軸の軸線方向に間隔をあけて複数設けられていることが好ましい。この可撓ブラシ線条体を用いれば、内視鏡管路に対して１回のブラシ挿脱作業を行なうと、ブラシ部の数に等しい回数のブラッシング洗浄を行った場合と同じ洗浄効果が得られ、ブラッシング洗浄に要する手間と時間を大幅に削減できる。
【００１２】
本発明は、管路洗浄方法の態様によれば、可撓軸の一端側に少なくとも１以上のブラシ部を備えた可撓ブラシ線条体；及び可撓ブラシ線条体をその可撓軸の他端部側から巻き取る巻取ドラムと、この巻取ドラムを回転駆動する電動巻取機構とを有する電動巻取器；を備え、巻取ドラムは、一端フランジ部及び巻取胴部を有するメインドラムと、一端フランジ部と対をなす他端フランジ部を有し、メインドラムの巻取胴部に接離可能なドラムカバーとを備える内視鏡の管路洗浄装置を用いた管路洗浄方法であって、可撓ブラシ線条体を、該可撓軸の一端側から内視鏡管路の一端部に挿入し、該内視鏡管路の他端部から外方へ突出させるステップ；電動巻取器を動作させて、可撓ブラシ線条体を該可撓軸の他端部側から巻取ドラムの巻取胴部に巻き取るステップ；可撓ブラシ線条体の巻取完了後、メインドラムとドラムカバーを分離するステップ；及びこのドラムカバーを分離させた状態で、メインドラムから可撓ブラシ線条体を取り外すステップ；を含むことを特徴としている。
【００１３】
【発明の実施の形態】
図１は、本発明を適用した内視鏡の管路洗浄装置１０を示している。本管路洗浄装置１０は、可撓ブラシ線条体２０と、可撓ブラシ線条体２０とは別体に設けた電動巻取器３０とから構成され、内視鏡管路内に挿入した可撓ブラシ線条体２０を電動巻取器３０の電動力により引き抜くことで内視鏡管路をブラッシング洗浄する装置である。
【００１４】
可撓ブラシ線条体２０は、例えば樹脂によって形成されるディスポタイプ（使い捨てタイプ）である。この可撓ブラシ線条体２０は、細長い可撓軸２１と、可撓軸２１の一端部側に間隔をおいて複数（図示例では３つ）が備えられたブラシ部２２と、該可撓ブラシ線条体２０を使用者が手で保持できるようにブラシ部２２に取り付けられたグリップ部２３とを有している。可撓軸２１は、複数のブラシ部２２の間が短い可撓軸２１Ｓと、残部が長い可撓軸２１Ｌとからなっている。上記可撓ブラシ線条体２０はブラシ部２２にて最も大径となっており、可撓ブラシ線条体２０を内視鏡管路内に挿入すると、各ブラシ部２２が管路内壁に当てつき、良好なブラッシング洗浄が可能である。ブラシ部２２の径は、使用対象となる内視鏡管路に応じて適宜設定されている。本実施形態においてブラシ部２２は、例えば１〜５ｃｍ程度の間隔をあけて３ヶ所に設けられているが、使用対象となる内視鏡の種類等に合わせた適宜の間隔で例えば２〜１０ヶ所程度に設けることが好ましい。
【００１５】
電動巻取器３０は、図２及び図３に示すように本体ケース３１０を有し、この本体ケース３１０から外方に突出した状態で巻取スイッチ３２０が設けられている。巻取スイッチ３２０は、図２の突出位置と本体ケース３１０内に押し込まれた押込位置とに変位可能であり、本実施形態では突出位置でオフ状態、押込位置でオン状態に切り替わる。
【００１６】
本体ケース３１０は、電動モータ３３１、モータドライバ３３２及びバッテリ３３３等の電子部品を収納する固定ケース３１１と、軸３１３により固定ケース３１１に対して開閉自在に取り付けられた開閉ケース３１２とから構成され、この固定ケース３１１と開閉ケース３１２との間に生じる空間に、巻取ドラム３５０を収納している。固定ケース３１１には、電動モータ３３１の回転駆動軸３３１ａを挿通させる軸穴３１１ａと、可撓ブラシ線条体２０を挿通させるブラシ挿通口３１１ｂが形成されている。ブラシ挿通口３１１ｂの径は、本実施形態では可撓軸２１及びブラシ部２２の両方を挿通可能な大きさに設定してあるが、可撓軸２１を挿通させてブラシ部２２を挿通させない大きさとしてもよい。
【００１７】
電動モータ３３１は、その回転駆動軸３３１ａが固定ケース３１１の軸穴３１１ａから突出した状態で固定ケース３１１に保持されている。モータドライバ３３２は、バッテリ３３３からの電力供給を受けて動作し、巻取スイッチ３２０のオン状態で電動モータ３３１を駆動させ、巻取スイッチ３２０のオフ状態で電動モータ３３１を駆動停止させる。バッテリ３３３は、固定ケース３１１に対して着脱可能である。巻取ドラム３５０は、電動モータ３３１によって回転され、該回転により可撓ブラシ線条体２０を可撓軸２１Ｌ側から巻き取る。
【００１８】
以上の全体構成を有する管路洗浄装置１０において、巻取ドラム３５０は、図３（ａ）、（ｂ）に示すように、固定ケース３１１側のメインドラム３５１と、開閉ケース３１２側のドラムカバー３５２とが分離可能に設けられている。以下では、図３〜図５を参照し、本実施形態の特徴部分である巻取ドラム３５０についてより詳細に説明する。
【００１９】
巻取ドラム３５０は、一端フランジ部３５１ａ及び巻取胴部３５１ｂを有するメインドラム３５１と、一端フランジ部３５１ａと対をなす他端フランジ部３５２ａを有し、メインドラム３５１の巻取胴部３５１ｂに接離可能なドラムカバー３５２とを備えている。メインドラム３５１は、上記一端フランジ部３５１ａ及び巻取胴部３５１ｂのほかに、固定ケース３１１の軸穴３１１ａから突出した電動モータ３１１の回転駆動軸３１１ａを挿入する軸穴３５１ｃと、可撓ブラシ線条体２０の可撓軸２１Ｌの他端を嵌合するブラシ嵌合溝３５１ｄとを有し、電動モータ３１１の回転駆動軸３１１ａを介して固定ケース３１１に軸支されている。一方、ドラムカバー３５２は、上記他端フランジ部３５２ａのほかに、開閉ケース３１２に設けられた回転軸３１４を挿入する軸穴３５２ａを有しており、この回転軸３１４を介して開閉ケース３１２に軸支されている。
【００２０】
メインドラム３５１の巻取胴部３５１ｂとドラムカバー３５２には、その互いに対向する面に形成されたジョイント部３５３を介して接離可能となっている。ジョイント部３５３は、図４及び図５にそれぞれ示すように、対をなす凹凸部３５３ａ、３５３ｂを放射線状に配置して形成されており、これら凹凸部３５３ａ、３５３ｂが互いに係合してメインドラム３５１の巻取胴部３５１ｃとドラムカバー３５２を接合させる。この凹凸部３５３ａ、３５３ｂは、例えば樹脂などの弾性材料によって形成されていることが好ましい。図４及び図５では、凹凸部３５３ａ、３５３ｂの凹んでいる部分を黒く塗りつぶしてある。
【００２１】
巻取ドラム３５０は、図３（ａ）に示すように開閉ケース３１２を閉じると、開閉ケース３１２によってドラムカバー３５２がメインドラム３５１に当て付く方向に押され、これにより一対のジョイント部３５３ａ、３５３ｂが結合し、ドラムカバー３５２とメインドラム３５１が連結される。この連結状態において電動モータ３３１が駆動すると、電動モータ３３１の回転駆動軸３３１ａによってメインドラム３５１が回転され、このメインドラム３５１の回転に連動してドラムカバー３５２が回転する。すなわち、メインドラム３５１とドラムカバー３５２が一体に回転する。一方、図３（ｂ）に示すように開閉ケース３１２を開けると、開閉ケース３１２の回動に伴って一対のジョイント部３５３ａ、３５３ｂの結合が外れ、巻取ドラム３５０はドラムカバー３５２とメインドラム３５１とに分離される。可撓ブラシ線条体２０の巻取途中または巻取完了後に開閉ケース３１２を開いた場合、巻き取られた可撓ブラシ線条体２０は、巻取胴部３５１ｂを有するメインドラム３５１側で保持される。なお、図３〜図５では、便宜上、可撓ブラシ線条体２０の図示を省略してある。
【００２２】
図６は、上記管路洗浄装置１０を用いて内視鏡管路をブラッシング洗浄している状態を示している。図６に示す内視鏡４０は、患者の体内に挿入される挿入部４１と、挿入部４１の基端に連結された操作部４２と、操作部４２から延設されたユニバーサルチューブ４３と、ユニバーサルチューブ４３の先端に設けたコネクタ部４４から構成されており、コネクタ部４４に、内視鏡内部の吸引管路４５に連通する吸引口金４６を設けてある。吸引管路４５は、挿入部先端４１ａに開口する第１吸引管路４５ａと、吸引口金４６に開口する第２吸引管路４５ｂと、この第１吸引管路４５ａと第２吸引管路４５ｂを中継する吸引シリンダ４５ｃからなる。吸引シリンダ４５ｃは、操作部４２に設けた吸引ボタンに連結されている。不図示であるが、内視鏡４０の内部には副送水管路や処置具挿通チャンネル等の管路も備えられている。
【００２３】
以下では、内視鏡管路として吸引管路４５を洗浄する場合の、管路洗浄方法の一実施形態について説明する。
【００２４】
先ず、電動巻取器３０の開閉ケース３１２を開き、図３（ａ）に示すように巻取ドラム３５０をメインドラム３５１とドラムカバー３５２とに分離させた状態で、巻取ドラム３５０に可撓ブラシ線条体２０を取り付ける。可撓ブラシ線条体２０の取り付けは、可撓ブラシ線条体２０を後端側から固定ケース３１１のブラシ挿通口３１１ｂに挿入し、該可撓ブラシ線条体２０の後端をメインドラム３５１のブラシ嵌合溝３５１ｂに嵌め込むことで、行なわれる。可撓ブラシ線条体２０の取り付けが完了したら、開閉ケース３１２を閉める。これにより、図３（ｂ）に示すようにメインドラム３５１とドラムカバー３５２が連結して一体の巻取ドラム３５０となり、電動巻取器３０による可撓ブラシ線条体２０の巻取作業が可能な状態となる。
【００２５】
続いて、内視鏡４０の操作部４２に、可撓ブラシ線条体２０の挿通口となる吸引シリンダ４５ｃの開口部を露出させる。続いて、可撓ブラシ線条体２０を挿入部先端４１ａの吸引口から第１吸引管路４５ａに挿入していき、全ブラシ部２２を吸引シリンダ４５ｃの開口部から外方へ突出させる（図６の状態）。あるいは、可撓ブラシ線条体２０を吸引シリンダ４５ｃの開口部から第１吸引管路４５ａに挿入していき、全ブラシ部２２を挿入部先端４１ａの吸引口から外方へ突出させる。
【００２６】
そして、電動巻取器３０の巻取スイッチ３２０をオンする。すると、モータドライバ３３２によって電動モータ３３１が駆動され、電動モータ３３１の回転駆動軸３３１ａを介して巻取ドラム３５０が回転し始める。巻取ドラム３５０が回転すると、該回転力により、可撓ブラシ線条体２０が他端側（可撓軸２１Ｌ側）から引っ張られ、第１吸引管路４５ａから引き抜かれていく。引き抜かれた可撓ブラシ線条体２０は、ブラシ挿通口３１１ｂから本体ケース３１０内に引き込まれ、巻取ドラム３５０の巻取胴部３５１ｂに巻き取られる。図６の矢印方向は可撓ブラシ線条体２０の引抜（巻取）方向である。このブラシ引抜（巻取）中、複数のブラシ部２２が順番に第１吸引管路４５ａを通過することにより、第１吸引管路４５ａの内壁がブラッシング洗浄される。可撓ブラシ線条体２０にはブラシ部２２が３ヶ所設けられているので、可撓ブラシ線条体２０を１回挿通させると、３回ブラッシング洗浄を行なった場合と同様の洗浄効果が得られる。電動巻取器３０内に可撓ブラシ線条体２０をすべて巻き取ったら、電動巻取器３０の巻取スイッチ３２をオフする。
【００２７】
巻取完了後は、電動巻取器３０の開閉ケース３１２を開けて、巻取ドラム３５０から使用済みの可撓ブラシ線条体２０を外す。開閉ケース３１２を開けた状態では、図３（ｂ）に示すように、巻取ドラム３５０がメインドラム３５１とドラムカバー３５２とに分離しており、巻き取られた可撓ブラシ線条体２０はメインドラム３５１の巻取胴部３５１ｂに巻き付いた状態となっている。よって、可撓ブラシ線条体２０をメインドラム３５１のジョイント部３５３ａ側へスライドさせてメインドラム３５１から外した後、可撓ブラシ線条体２０の他端をブラシ嵌合溝３５１ｄから抜き取れば、可撓ブラシ線条体２０を電動巻取器３０から取り外すことができる。この際、巻取ドラム３５０を回転させる必要はない。すなわち、従来のような、ブラシ巻取方向と逆方向に巻取ドラムを回転させながら可撓ブラシ線条体を巻取ドラムから外す作業は不要となり、容易に可撓ブラシ線条体を外すことができる。本実施形態では、ディスポタイプの可撓ブラシ線条体２０を用いているので、メインドラム３５１から外した可撓ブラシ線条体２０は、そのまま破棄する。なお、ディスポタイプでない可撓ブラシ線条体を用いる場合には、メインドラム３５１から外した後に、洗浄及び減菌処理等を施す。
【００２８】
以上の方法で可撓ブラシ線条体２０の引抜作業を１回（または数回）実行することにより、第１吸引管路４５ａの内壁に付着した汚物を除去することができる。同様にして、第２吸引管路４５ｂにもブラッシング洗浄を施す。なお、第２吸引管路４５ｂと第１吸引管路４５ａの洗浄順は逆であっても差し支えない。
【００２９】
以上のように本実施形態では、電動巻取器３０の開閉ケース３１２を開閉することにより、メインドラム３５１の巻取胴部３５１ｂに接離可能なドラムカバー３５２を設けたので、開閉ケース３１２を開けると巻取ドラム３５０がメインドラム３５１とドラムカバー３５２とに分離され、巻取ドラム３５０を回転させることなく、使用済みの可撓ブラシ線条体２０を巻取ドラム３５０から容易に外すことができる。これにより、装置の利便性が高められる。
【００３０】
また本実施形態では、電動巻取器３０によって可撓ブラシ線条体２０が巻き取られるので、使用者は電動巻取器３０の巻取スイッチ３２をオンするだけで可撓ブラシ線条体２０を内視鏡管路（図６では吸引管路４５）から容易に引き抜くことができ、可撓ブラシ線条体２０の引抜作業にかかる手間及び時間が大幅に削減される。
【００３１】
さらに本実施形態では、複数のブラシ部２２を備えた可撓ブラシ線条体２０を用いるので、１回のブラシ挿脱作業でブラシ部２２の数に等しい回数のブラッシング洗浄を行った場合と同じ洗浄効果が得られる。
【００３２】
本実施形態では、電動巻取器３０の固定ケース３１１によってメインドラム３５１を軸支し、固定ケース３１１によってドラムカバー３５２を軸支しているが、逆に、開閉ケース３１２によってメインドラム３５１を軸支し、固定ケース３１１によってドラムカバー３５２を軸支してもよい。また、ドラムカバー３５２は、電動巻取器３０の本体ケース３１０（固定ケース３１１、固定ケース３１１）とは一体に設けず、別個に独立して設けてもよい。あるいは、メインドラム３５１を電動モータ３３１の回転駆動軸３３１ａに着脱可能に設け、且つ、メインドラム３５１をディスポタイプとすることも可能である。メインドラム３５１をディスポタイプ且つ着脱可能に設けた場合には、ブラシ巻取完了後に、メインドラム３５１を可撓ブラシ線条体２０ごと電動巻取器３０から外して破棄することができ、より利便性が高まる。この際、ドラムカバー３５２は破棄せずにメインドラム３５１のみを破棄するので、巻取ドラム３５０全体を破棄してしまう場合よりもコストが押さえられる。
【００３３】
また本実施形態では、ブラシ嵌合溝３５１ｄを介して巻取ドラム３５０に可撓ブラシ線条体２０を取り付けているが、このブラシ嵌合溝３５１ｄの替わりに、可撓ブラシ線条体２０を着脱可能に保持する着脱保持機構を設ける態様でもよい。この着脱保持機構は、本体ケース３１０のブラシ挿通口３１１ｂに可撓ブラシ線条体２０を挿入したとき可撓ブラシ線条体２０と巻取ドラム３５０を接続し、可撓ブラシ線条体２０を引き抜いたとき可撓ブラシ線条体２０と巻取ドラム３５０の接続が外れるように構成する。可撓ブラシ線条体２０の着脱が可能であれば、各内視鏡管路に合わせた可撓ブラシ線条体を用いてブラッシング洗浄することが可能になる。
【００３４】
以上では、吸引管路４５をブラッシング洗浄する実施形態について説明したが、本管路洗浄装置１０は、処置具挿通チャンネルや副送水管路など内視鏡内部に設けられた各種管路に対して使用することができる。
【００３５】
【発明の効果】
本発明によれば、巻取ドラムがメインドラムとドラムカバーとに分離自在であるので、可撓ブラシ線条体を巻取ドラムから容易に外すことができる。また本発明によれば、電動巻取器によって可撓ブラシ線条体を内視鏡管路から引き抜くので、ブラシ引抜作業にかかる手間及び時間が大幅に削減され、内視鏡管路内を容易かつ確実にブラッシング洗浄することができる。
【図面の簡単な説明】
【図１】本発明による内視鏡の管路洗浄装置の一実施形態を示す側面図であり、可撓ブラシ線条体を電動巻取器に取り付けてある状態を示している。
【図２】図１に示す電動巻取器の正面図である。
【図３】図１に示す電動巻取器の断面図であって、（ａ）巻取ドラムを外した状態、（ｂ）巻取ドラムを取り付けた状態を示している。
【図４】図３のＩＶ矢視図であり、メインドラムに設けられたジョイント部を示している。
【図５】図３のＶ矢視図であり、ドラムカバーに設けられたジョイントを示している。
【図６】図１に示す管路洗浄装置を用いて内視鏡管路をブラッシング洗浄している状態を示す側面図である。
【図７】従来の管路洗浄装置を用いて内視鏡管路をブラッシング洗浄している状態を示す側面図である。
【符号の説明】
１０    管路洗浄装置
２０    可撓ブラシ線条体
２１    可撓軸
２２    ブラシ部
２３    グリップ部
３０    電動巻取器
４０    内視鏡
４５    吸引管路
３１０    本体ケース
３１１    固定ケース
３１１ａ  軸穴
３１１ｂ  ブラシ挿通口
３１２    開閉ケース
３１３    軸
３１４    回転軸
３２０    巻取スイッチ
３３１    電動モータ
３３１ａ  回転駆動軸
３３２    モータドライバ
３３３    バッテリ
３５０    巻取ドラム
３５１    メインドラム
３５１ａ  一端フランジ部
３５１ｂ  巻取胴部
３５１ｃ  軸穴
３５１ｄ  ブラシ嵌合溝
３５２    ドラムカバー
３５２ａ  他端フランジ部
３５２ｂ  軸穴
３５３    ジョイント部
３５３ａ  凹凸部
３５３ｂ  凹凸部
【図１】
2004254807.tif 000003
【図２】
2004254807.tif 000004
【図３】
2004254807.tif 000005
【図４】
2004254807.tif 000006
【図５】
2004254807.tif 000007
【図６】
2004254807.tif 000008
【図７】
2004254807.tif 000009